(57)【特許請求の範囲】
【請求項１】
ばね部と、
前記ばね部から該ばね部が延びる方向と異なる方向に延びる連結部と、
押圧力が作用する作用部と、スイッチを押すための押し部と、を含む剛体部であって、前記連結部から該連結部が延びる方向とは異なる方向に延びる剛体部と、
前記ばね部と連結部と剛体部とが設けられた回路押さえ枠と、
前記回路押さえ枠とでスイッチを含む回路基板を挟み込むためのパネル枠と、を備え、
前記作用部へ前記押圧力が作用したとき、前記ばね部が撓むとともに該ばね部の長手方向を軸としてねじれるように弾性変形することによって、前記押し部が前記スイッチを押し、
前記ばね部の基部には前記パネル枠の一部に掛かるための凹部が設けられており、前記回路基板は前記回路押さえ枠と前記パネル枠とに挟み込まれ固定される、電子機器の操作機構。
【請求項２】
前記剛体部は、前記押し部が前記スイッチを押した後に度当たりに接触するための度当たり部を含み、
前記作用部は、前記度当たり部と前記押し部との間に設けられる、請求項１に記載の電子機器の操作機構。
【請求項３】
前記作用部の位置は、前記押し部の位置よりも前記度当たり部の位置寄りの位置である、請求項２に記載の電子機器の操作機構。
【請求項４】
前記ばね部が延びる方向は、前記剛体部が延びる方向と同じ方向である、請求項１〜３のいずれかに記載の電子機器の操作機構。
【請求項５】
前記押し部には、前記スイッチを押すための突起が形成されている、請求項１〜４のいずれかに記載の電子機器の操作機構。
【請求項６】
前記ばね部の長手方向の長さは、前記剛体部の長手方向の長さよりも長い、請求項１〜５のいずれかに記載の電子機器の操作機構。
【請求項７】
前記作用部への押圧力を解除したとき、前記ばね部の弾性力によって、前記スイッチは前記押し部の押圧力から解放される、請求項１〜６のいずれかに記載の電子機器の操作機構。
【発明の詳細な説明】
【技術分野】
【０００１】
本発明は、電子機器の操作機構に関する。
【背景技術】
【０００２】
電子機器では、その操作においてタクトスイッチが使用されることがある。一般的に、
タクトスイッチへの入力は、操作キーを介して行われる。通常の使用において、操作キー
を押す力は適度な押圧力であるため、タクトスイッチが破損することはない。一方、電子
機器などを落下させてしまい操作キーが落下点に衝突した場合には、操作キーを押す力は
過剰な衝撃力となる。その結果、この衝撃力によりタクトスイッチを破損させてしまう場
合がある。  
特許文献１には、複数の突出部より、タクトスイッチへの衝撃力を緩和することが示さ
れている。
【先行技術文献】
【特許文献】
【０００３】
【特許文献１】特開２００５−１９０３８０号公報
【発明の概要】
【発明が解決しようとする課題】
【０００４】
しかしながら、特許文献１に示された手法であると、落下による衝撃により突出部７１
自体が破損し、その結果、操作キーからタクトスイッチへの衝撃力を緩和することができ
なくなる場合もある。よって、より適切にスイッチへの衝撃力を緩和することができる操
作機構が望まれる。  
本発明は、このような事情に鑑みてなされたものであり、スイッチへの衝撃力を緩和す
ることができる操作機構を提供することを目的とする。
【課題を解決するための手段】
【０００５】
上記目的を達成するための主たる発明は、
ばね部と、
前記ばね部から該ばね部が延びる方向と異なる方向に延びる連結部と、
押圧力が作用する作用部と、スイッチを押すための押し部と、を含む剛体部であって、
前記連結部から該連結部が延びる方向とは異なる方向に延びる剛体部と、
を備え、
前記作用部へ前記押圧力が作用したとき、前記ばね部が撓むとともに該ばね部の長手方
向を軸としてねじれるように弾性変形することによって、前記押し部が前記スイッチを押
す、電子機器の操作機構である。
【０００６】
本発明の他の特徴については、本明細書及び添付図面の記載により明らかにする。
【図面の簡単な説明】
【０００７】
【図１Ａ】本実施形態における操作機構が搭載されるリスト機器５０の正面図である。
【図１Ｂ】本実施形態における操作機構が搭載されるリスト機器５０の側面図である。
【図２】本実施形態における操作機構を含む回路押さえ１の斜視図である。
【図３】本実施形態における操作機構１５が搭載されるリスト機器５０の断面図である。
【図４】本実施形態における操作機構１５の側面図である。
【図５】本実施形態における操作機構１５の動作を説明する第１図である。
【図６】本実施形態における操作機構１５の動作を説明する第２図である。
【図７】本実施形態における操作機構１５の斜視図である。
【図８】本実施形態における製品の組み立て図である。
【図９】本実施形態における製品完成図である。
【発明を実施するための形態】
【０００８】
本明細書及び添付図面の記載により、少なくとも、以下の事項が明らかとなる。
【０００９】
ばね部と、
前記ばね部から該ばね部が延びる方向と異なる方向に延びる連結部と、
押圧力が作用する作用部と、スイッチを押すための押し部と、を含む剛体部であって、
前記連結部から該連結部が延びる方向とは異なる方向に延びる剛体部と、
を備え、
前記作用部へ前記押圧力が作用したとき、前記ばね部が撓むとともに該ばね部の長手方
向を軸としてねじれるように弾性変形することによって、前記押し部が前記スイッチを押
す、電子機器の操作機構。  
このようにすることで、スイッチへの衝撃力を緩和することができる操作機構を提供す
ることができる。
【００１０】
かかる電子機器の操作機構であって、前記剛体部は、前記押し部が前記スイッチを押し
た後に度当たりに接触するための度当たり部を含み、前記作用部は、前記度当たり部と前
記押し部との間に設けられることが望ましい。また、前記作用部の位置は、前記押し部の
位置よりも前記度当たり部の位置寄りの位置であることが望ましい。また、前記ばね部が
延びる方向は、前記剛体部が延びる方向と同じ方向であることが望ましい。また、前記押
し部には、前記スイッチを押すための突起が形成されていることが望ましい。
【００１１】
また、前記ばね部の長手方向の長さは、前記剛体部の長手方向の長さよりも長いことが
望ましい。また、前記作用部への押圧力を解除したとき、前記ばね部の弾性力によって、
前記スイッチは前記押し部の押圧力から解放されることが望ましい。また、前記ばね部と
前記連結部と前記剛体部とが設けられた回路押さえ枠と、前記回路押さえ枠とで前記スイ
ッチを含む回路基板を挟み込むためのパネル枠と、を備え、前記ばね部の基部には前記パ
ネル枠の一部に掛かるための凹部が設けられており、前記回路基板は前記回路押さえ枠と
前記パネル枠とに挟み込まれ固定されることが望ましい。
【００１２】
このようにすることで、スイッチへの衝撃力を緩和することができる操作機構を提供す
ることができる。
【００１３】
＝＝＝実施形態＝＝＝
図１Ａは、本実施形態における操作機構が搭載されるリスト機器５０の正面図である。
図１Ｂは、本実施形態における操作機構が搭載されるリスト機器５０の側面図である。リ
スト機器５０の例としては、手首（リスト）に着用する腕時計や脈拍計測機器などがある
。図にはリスト機器５０と、このリスト機器５０を操作するための４つの操作ボタン６１
が示されている。
【００１４】
このようなリスト機器５０は、手首に装着する際、又は、取り外す際に落下することが
ある。仮に、操作ボタン６１の軸と内部のタクトスイッチの軸とが同一軸上に設けられて
いる場合において、落下地点に操作ボタン６１が衝突すると、その落下衝撃力は直接的に
タクトスイッチに伝わり、タクトスイッチを破損させてしまう場合がある。
【００１５】
本実施形態では、強い衝撃力が操作ボタン６１に加わってしまった場合であっても、タ
クトスイッチに伝わる衝撃を緩和して、タクトスイッチの破損を防止する。
【００１６】
図２は、本実施形態における操作機構１５を含む回路押さえ１の斜視図である。回路押
さえ１は、後述するパネル枠４とで回路ケース２及び回路基板３を挟み込み固定する機能
を有する。また、回路押さえ１は、タクトスイッチを間接的に押す電子機器の操作機構１
５の機能を有する。
【００１７】
回路押さえ１は、フレーム１４０と操作機構１５を備える。また、操作機構１５は、ば
ね部１１と連結部１２と剛体部１３と基部１３４を備える。
【００１８】
基部１３４には、後述するパネル枠４の一部に掛かるためのモジュール固定用第１フッ
ク１３５が形成されている。１つの基部１３４に対して、ばね部１１と連結部１２と剛体
部１３の組が２組形成され、２組の操作機構１５を構成する。本実施形態では、基部は２
つ設けられ、操作機構１５は４組構成される。
【００１９】
また、回路押さえ１には、より強固にパネル枠４と係合して回路ケース２及び回路基板
３を固定することができるように、モジュール固定用第２フック１３６が４組設けられて
いる。
【００２０】
本実施形態における回路押さえ１は、弾性力を有する金属薄板をプレス加工することに
より製造することができる。例えば、金属薄版を所定の形状に型抜きし、その後、操作機
構１５とモジュール固定用第２フック１３６を形成するように曲げ加工することにより製
造することができる。
【００２１】
図３は、本実施形態における操作機構１５が搭載されるリスト機器５０の断面図である
。図には、タクトスイッチ３１と操作ボタン６１とボタン軸６２が示されている。また、
図には、リスト機器５０に回路押さえ１が搭載され、操作機構１５が所定の位置に組み込
まれた様子が示されている。操作機構１５は、タクトスイッチ３１とボタン軸６２との間
に配置されるように組み込まれる。
【００２２】
図に示されるように、操作ボタン６１とボタン軸６２は、タクトスイッチ３１を直接押
すことはない。本実施形態では、操作ボタン６１が押されることにより、ボタン軸６２が
軸の長手方向に移動する。そして、ボタン軸６２により操作機構１５の一部が押され、こ
れにより操作機構１５の各部が弾性変形しタクトスイッチ３１が間接的に押される。以下
に、操作機構１５の具体的な構成及びその動作について説明する。
【００２３】
図４は、本実施形態における操作機構１５の側面図である。図には、説明の便宜上、Ｘ
軸とＹ軸の方向が示されている。また、図には、操作機構１５におけるばね部１１と連結
部１２と剛体部１３とが示されている。ばね部１１は、基部１３４からＸ軸方向に延びる
形状となっている。そして、ばね部１１の先端部からＹ軸マイナス方向に連結部１２が延
びる。また連結部１２の先端から、ばね部１１が延びた方向と同じ方向に延びるように剛
体部１３が形成されている。
【００２４】
ばね部１１は、その基部１３４から徐々にその幅が細くなる。連結部１２の幅は、ほぼ
一定である。剛体部１３の幅もほぼ一定である。また、ばね部１１の長手方向の長さは剛
体部１３の長手方向の長さよりも長くなるように製造される。このようにすることによっ
て、後述するボタン軸６２が作用部１３１を押し込んだときにおいて、剛体部１３は殆ど
変形せず、これに対し、ばね部１１は撓むように変形する。
【００２５】
剛体部１３には、作用部１３１が破線で示されている。作用部１３１は、ボタン軸６２
の先端が接触する箇所である。前述の操作ボタン６１が押されたとき、ボタン軸６２の先
端は作用部１３１に接触し、剛体部１３を紙面奥行き方向に押し込む。
【００２６】
また、図には、度当たり３２が示されている。度当たり３２は、後述するように、紙面
奥行き方向に関して固定されている。剛体部１３の裏面は、度当たり３２に突き当たるた
めの度当たり部１３２を含んでいる。そして、前述のように剛体部１３が紙面奥行き方向
に押し込まれたときにおいて、度当たり部１３２は、度当たり３２に突き当たり、その行
き過ぎが規制される。
【００２７】
また、剛体部１３は、押し部１３３を含む。押し部１３３は、剛体部１３が紙面奥行き
方向に押し込まれたときにタクトスイッチ３１を押す。
【００２８】
図５は、本実施形態における操作機構１５の動作を説明する第１図である。図５は、前
述の図４をＹ軸マイナス方向からプラス方向（図４に示される矢印の方向）に見た図とな
っている。図には、説明の便宜上Ｘ軸とＺ軸が示されている。尚、前述の図４において示
したＹ軸プラス方向は、図５における紙面の奥行き方向と一致する。
【００２９】
図には、ばね部１１と、剛体部１３と、ボタン軸６２と、作用部１３１と、押し部１３
３が示されている。また、タクトスイッチ３１と度当たり３２が示されている。タクトス
イッチ３１と度当たり３２は、後述する回路基板３に固定的に設けられる。そして、度当
たり部１３２は、度当たり３２に突き当たることにより、剛体部１３のＺ軸方向の移動を
規制する。
【００３０】
作用部１３１は、剛体部１３においてＺ軸プラス側（表側）に設けられ、度当たり部１
３２及び押し部１３３は、Ｚ軸マイナス側（裏側）に設けられる。また、作用部１３１は
、Ｘ軸方向について、度当たり部１３２と押し部１３３との間に設けられる。本実施形態
では、作用部１３１は、押し部１３３側よりも度当たり部１３２側に設けられる。
【００３１】
剛体部１３において作用部１３１と度当たり部１３２は、ばね部１１及び連結部１２の
Ｚ軸方向に関してほぼ同じ位置となっている。一方、剛体部１３の中央付近は、Ｘ軸プラ
ス方向に向かうと共にＺ軸マイナス方向に向かうように曲げられる。そして、押し部１３
３は、度当たり部１３２よりＺ軸マイナス方向側に位置する。また、押し部１３３には、
タクトスイッチ３１を直接押す突起１３３ａが設けられている。
【００３２】
図５では、まだ操作ボタン６１が押されていない状態を示している。このとき、ボタン
軸６２は作用部１３１に接触していない。これは、操作ボタン６１に押圧力が加わらない
ときにおいて、ボタン軸６２を作用部１３１に接触させないボタン軸用ばね５５（図３参
照）が設けられているためである。また、このとき、ばね部１１も撓んでおらず、押し部
１３３もタクトスイッチ３１に接触していない。
【００３３】
図６は、本実施形態における操作機構１５の動作を説明する第２図である。図７は、本
実施形態における操作機構１５の斜視図である。図７には、説明の便宜上、Ｘ軸とＹ軸と
Ｚ軸が示されている。また、図７は、図６の状態に対応する図であり、操作ボタン６１が
押されたときの様子を示している。
【００３４】
操作ボタン６１が押されるとボタン軸６２は、作用部１３１に接触する。ボタン軸のス
トロークは１ｍｍ程度であるので、さらにボタン軸６２は押し込まれ、押し部１３３はタ
クトスイッチ３１を押す。これにより、タクトスイッチ３１はＯＮの状態にされる。その
直後に、度当たり部１３２が度当たり３２に突き当たる。このとき、ばね部１１は、Ｙ軸
周り（ボタン軸６２が押し込まれた方向）に撓み、さらにばね部１１のＸ軸周りにはねじ
れが生じる。また、連結部１２においてもＺ軸周り（図６紙面左回り）のねじれが生ずる
。
【００３５】
このように、ばね部１１に生ずる撓み、及び、ばね部１１と連結部１２に生ずるねじれ
により、ばね部１１の撓みにより押し込まれた力が吸収される。
【００３６】
その後、操作ボタン６１に加わる力が取り除かれ、作用部１３１への押圧力が解除され
ると、各部の弾性力により、ばね部１１と連結部１２と剛体部１３は元の位置に戻る。そ
して、タクトスイッチ３１は押し部１３３による押圧力から解放される。そして、スイッ
チがオフの状態にされる。
【００３７】
仮に、リスト機器５０を落下させてしまい操作ボタン６１が落下地点に接触した場合に
おける操作ボタン６１にかかる衝撃は数十Ｋｇ以上の力となるが、本実施形態では、前述
のように、ばね部１１が撓み、また、ねじれるように弾性変形することにより、この衝撃
力を吸収する。そして、タクトスイッチ３１にかかる力を数Ｋｇ程度におさえ、タクトス
イッチ３１の破損を回避させることができる。
【００３８】
また、本実施形態によれば、タクトスイッチ３１をボタン軸６２が直接押さず、間接的
に押すことになることから、タクトスイッチ３１の位置がボタン軸６２の位置に限定され
ることがないため、操作ボタン６１の配置におけるデザインの自由度が拡大する。
【００３９】
尚、本実施形態では、度当たり３２及び度当たり部１３２を設けることとしたが、度当
たり３２及び度当たり部１３２はなくてもよい。度当たり３２が存在しない場合であって
も、作用部１３１にかかる力は、ばね部１１が撓み、また、ねじれることで十分に吸収さ
れるためである。
【００４０】
図８は、本実施形態における製品の組み立て図である。図には、回路押さえ１と回路ケ
ース２と回路基板３とパネル枠４が示されている。また、図には、回路基板３のタクトス
イッチ３１が示されている。
【００４１】
回路押さえ１には、操作機構１５とモジュール固定用第２フック１３６が一体的に設け
られている。回路ケース２と回路基板３とパネル枠４は、積層するように積み重ねられる
。そして、回路押さえ１は、回路ケース２と回路基板３を抱え込むようにパネル枠４と組
み合わされる。パネル枠４には、突起４１０が設けられている。そして、モジュール固定
用第１フック１３５又はモジュール固定用第２フック１３６は、この突起４１０に掛かる
。
【００４２】
図９は、本実施形態における製品完成図である。図に示されるように、回路押さえ１と
パネル枠４が挟み込むことによって、回路ケース２及び回路基板３が固定されるとともに
、操作機構１５の押し部１３３がタクトスイッチ３１の近傍に位置することになる。
【００４３】
このように、回路押さえ１に操作機構１５を一体的に設けることとしたので、操作機構
１５をより安価に製造することができる。特に、回路押さえ１をプレス加工する際に同時
に操作機構１５を製造することができるので、作業工程を増やすことなく、耐衝撃性を提
供する操作機構１５を設けることができるという利点を有する。
【００４４】
上記の実施形態は、本発明の理解を容易にするためのものであり、本発明を限定して解
釈するためのものではない。本発明は、その趣旨を逸脱することなく、変更、改良され得
ると共に、本発明にはその等価物が含まれることは言うまでもない。
【符号の説明】
【００４５】
１  回路押さえ（電子機器の操作機構）、
２  回路ケース、３  回路基板、４  パネル枠、
１１  ばね部、１２  連結部、１３  剛体部、
３１  タクトスイッチ、３２  度当たり、
１３１  作用部、１３２  度当たり部、１３３  押し部、
５０  リスト機器、６１  操作ボタン、６２  ボタン軸、
１３５  モジュール固定用第１フック、１３６  モジュール固定用第２フック、
１４０  フレーム
【図１Ａ】
0005552871.tif 000002
【図１Ｂ】
0005552871.tif 000003
【図２】
0005552871.tif 000004
【図３】
0005552871.tif 000005
【図４】
0005552871.tif 000006
【図５】
0005552871.tif 000007
【図６】
0005552871.tif 000008
【図７】
0005552871.tif 000009
【図８】
0005552871.tif 000010
【図９】
0005552871.tif 000011